(57)【要約】【課題】グリップを一部材から形成する場合であっても、外観を損ねることなくストラップを取り付け可能とする。【解決手段】カメラ１００において、表示部筐体１及びレンズ部筐体２の周囲を回動可能に囲む形状をなすとともに、剛性を有し、天頂に開口部３１ｃを形成するアーチ部３１ｂが表示部筐体１及びレンズ部筐体２と対向する側に一体成形されたグリップ３と、弾性を有し、当該弾性によりアーチ部３１ｂに取り付け可能な取付部材（カバー部材３２）と、を備える。【選択図】図９
2018054714.tif 000002
【特許請求の範囲】
【請求項１】
筐体周囲を回動可能に囲む形状をなすとともに、剛性を有し、天頂に開口部を形成するアーチ部が前記筐体と対向する側に一体成形されたグリップと、
弾性を有し、当該弾性により前記アーチ部に取り付け可能な取付部材と、
を備えることを特徴とする取り付け機構。
【請求項２】
前記アーチ部は、基端部に切り欠き部が設けられ、
前記取付部材は、突起部を有し、当該突起部が前記切り欠き部に嵌合することで、前記アーチ部に取り付け可能であることを特徴とする請求項１に記載の取り付け機構。
【請求項３】
前記切り欠き部は、前記アーチ部の各基端部の外側部にそれぞれ設けられ、
前記取付部材は、互いに対向する一対の突起部を有していることを特徴とする請求項２に記載の取り付け機構。
【請求項４】
前記取付部材は、断面Ｃ字状に形成され、前記アーチ部を被覆した状態で取り付け可能であることを特徴とする請求項１〜３の何れか一項に記載の取り付け機構。
【請求項５】
前記取付部材は、前記アーチ部に取り付けられた際に、その両端部が前記グリップに当接することを特徴とする請求項１〜４の何れか一項に記載の取り付け機構。
【請求項６】
前記取付部材は、前記筐体の天頂に設けられている突起部が嵌入する穴が設けられていることを特徴とする請求項１〜５の何れか一項に記載の取り付け機構。
【請求項７】
前記筐体は、撮像部を備えるレンズ部筐体と、表示部を備える表示部筐体と、からなり、
前記レンズ部筐体と前記表示部筐体とは、ヒンジ部を介して回転可能に接合されていることを特徴とする請求項１〜６の何れか一項に記載の取り付け機構。
【請求項８】
請求項１〜７の何れか一項に記載の取り付け機構を備えることを特徴とする電子機器。
【請求項９】
請求項７に記載の取り付け機構を備えることを特徴とする撮像装置。
【発明の詳細な説明】
【技術分野】
【０００１】
本発明は、取り付け機構、電子機器及び撮像装置に関する。
【背景技術】
【０００２】
従来、筐体の周囲を囲むグリップがヒンジ軸を介して当該筐体に回転可能に取り付けられたカメラが提案されている（例えば、特許文献１参照）。
【先行技術文献】
【特許文献】
【０００３】
【特許文献１】特開２０１４−２０２８７８号公報
【発明の概要】
【発明が解決しようとする課題】
【０００４】
上記特許文献１に開示されているカメラのグリップＧは、図１６及び図１７に示すように、強度を維持するためのフレームＧ１とそのフレームを囲う化粧板Ｇ２からなり、化粧板Ｇ２によって、ストラップを取り付ける部材を隠すことで外観を損ねることの防止が可能である。しかしながら、グリップＧを一部材から形成しようとした場合、上述の効果を発揮することができないという問題がある。
【０００５】
本発明は、このような問題に鑑みてなされたものであり、グリップを一部材から形成する場合であっても、外観を損ねることなくストラップを取り付け可能とすることができる取り付け機構、電子機器及び撮像装置を提供することを目的とする。
【課題を解決するための手段】
【０００６】
上記課題を解決するため、本発明は、
筐体周囲を回動可能に囲む形状をなすとともに、剛性を有し、天頂に開口部を形成するアーチ部が前記筐体と対向する側に一体成形されたグリップと、
弾性を有し、当該弾性により前記アーチ部に取り付け可能な取付部材と、
を備えることを特徴とする。
【発明の効果】
【０００７】
本発明によれば、グリップを一部材から形成する場合であっても、外観を損ねることなくストラップを取り付け可能とすることができる。
【図面の簡単な説明】
【０００８】
【図１】本発明を適用した電子機器の一実施形態の構成であるカメラを示した斜視図であり、（ａ）は通常撮影モードのカメラを示す斜視図、（ｂ）はレンズ部筐体に対して表示部筐体を回動させている状態のカメラを示す斜視図である。
【図２】本発明を適用した電子機器の一実施形態の構成であるカメラを示した斜視図であり、（ａ）は自分撮りモードのカメラを示す斜視図、（ｂ）はレンズ部筐体に対してグリップを３０度程度開かせ、表示部筐体及びグリップを脚として、カメラを自立させた状態のカメラを示す斜視図である。
【図３】レンズ部筐体を分解してヒンジユニットのみを残した状態のカメラを示す図であり、（ａ）はその斜視図であり、（ｂ）はその断面図である。
【図４】ヒンジユニットへグリップを組み付ける前の状態のカメラの部分拡大図である。
【図５】（ａ）は取付部材の正面図、（ｂ）は取付部材の平面図、（ｃ）は取付部材の側面図、（ｄ）は取付部材の底面図である。
【図６】互いに対向する一対の締結部の間に突起部が挿入された状態のカメラの部分拡大図であり、（ａ）はカメラを斜め上方から見た部分拡大図であり、（ｂ）はカメラを斜め下方から見た部分拡大図である。
【図７】取付部材と突起部とをネジ止めにより締結した状態のカメラの部分拡大図であり、（ａ）はカメラを斜め上方から見た部分拡大図であり、（ｂ）はカメラを斜め下方から見た部分拡大図である。
【図８】グリップの開口部にストラップが取り付けられている状態のカメラを示す斜視図である。
【図９】グリップの分解斜視図である。
【図１０】グリップの天頂部分の断面図であり、（ａ）はカバー部材を取り付ける際のカバー部材の変形態様を説明する図であり、（ｂ）はカバー部材を取り外そうとした際のカバー部材の変形態様を説明する図である。
【図１１】グリップの天頂部分の横断面図である。
【図１２】変形例のストラップ取付用部材を示す斜視図である。
【図１３】変形例のグリップ本体を示す斜視図であり、（ａ）はグリップ本体の天頂部分を示す部分拡大図であり、（ｂ）は上下一対の突出片を示す部分拡大図である。
【図１４】変形例のグリップ本体へのストラップ取付用部材の組み付け過程を説明する図であり、（ａ）は組み付ける前の状態を示す斜視図であり、（ｂ）は組み付け途中の状態を示す斜視図であり、（ｃ）は組み付けた後の状態を示す斜視図である。
【図１５】変形例のグリップ本体へのストラップ取付用部材の組み付け過程を説明する図であり、（ａ）は組み付け途中の状態を示す断面図であり、（ｂ）は組み付けた後の状態を示す断面図である。
【図１６】筐体の周囲を囲むグリップがトルクを発生するための皿バネを挟みヒンジ軸を介して当該筐体に回転可能に取り付けられた従来のカメラを説明する図である。
【図１７】筐体の周囲を囲むグリップがトルクを発生するための皿バネを挟みヒンジ軸を介して当該筐体に回転可能に取り付けられた従来のカメラを説明する図である。
【発明を実施するための形態】
【０００９】
以下に、本発明について、図面を用いて具体的な態様を説明する。ただし、発明の範囲は、図示例に限定されない。
【００１０】
図１及び図２は、本発明を適用した電子機器の一実施形態の構成であるカメラ（撮像装置）１００を示した斜視図である。カメラ１００は、大きく分けると、第１の筐体としての表示部筐体１及びレンズ部筐体２と、第２の筐体としてのグリップ３とを備えている。
【００１１】
図１（ａ）は、通常撮影モードのカメラ１００を示す斜視図である。すなわち、表示部筐体１の表示部１ａがレンズ部筐体２のレンズ部２ａに対して反対方向に向けられ、グリップ３が表示部筐体１及びレンズ部筐体２を囲んだ状態のカメラ１００を示している。
【００１２】
図１（ｂ）は、レンズ部筐体２に対して表示部筐体１を回動させている状態のカメラ１００を示す斜視図である。
図１（ｂ）に示すように、カメラ１００は、表示部１ａを有する表示部筐体１と、レンズ部２ａを有するレンズ部筐体２とが、第１ヒンジ軸４を介して互いに回動可能に結合されている。
【００１３】
図２（ａ）は、自分撮りモードのカメラ１００を示す斜視図である。すなわち、表示部筐体１の表示部１ａとレンズ部筐体２のレンズ部２ａとが同方向に向けられ、グリップ３が表示部筐体１及びレンズ部筐体２を囲んだ状態のカメラ１００を示している。
【００１４】
図２（ｂ）は、レンズ部筐体２に対してグリップ３を３０度程度開かせ、表示部筐体１及びグリップ３を脚として、カメラ１００を自立させた状態のカメラ１００を示す斜視図である。
図２（ｂ）に示すように、グリップ３は、レンズ部筐体２に対し、第１ヒンジ軸４と直交する一対の第２ヒンジ軸２４（後述）を介して回動可能に結合されている。
【００１５】
次に、グリップ３の回転構造について説明する。
【００１６】
図３は、レンズ部筐体２を分解してヒンジユニット２０のみを残した状態のカメラ１００を示す図であり、（ａ）はその斜視図であり、（ｂ）はその断面図である。
図３（ａ），（ｂ）に示すように、ヒンジユニット２０は、グリップ３を取り付けるための左右一対の取付部材２１と、皿バネ２２と、ブラケット２３とを備えている。取付部材２１は、複数枚の皿バネ２２を介してカシメ付けた第２ヒンジ軸２４にて回転可能にブラケット２３に結合されている。また、取付部材２１は、断面Ｃ字状に形成され、その間隙部分にグリップ３の突起部３１ａが挿入された状態でネジ止めされている。
【００１７】
次に、ヒンジユニット２０へのグリップ３の組み付け過程について説明する。
【００１８】
図４は、ヒンジユニット２０へグリップ３を組み付ける前の状態のカメラ１００の部分拡大図である。図５（ａ）は取付部材２１の正面図、（ｂ）は取付部材２１の平面図、（ｃ）は取付部材２１の側面図、（ｄ）は取付部材２１の底面図である。
図４及び図５に示すように、取付部材２１は、互いに対向する一対の締結部２１ａを備えており、断面Ｃ字状に形成されている。そして、取付部材２１は、一対の締結部２１ａの間に形成された間隙部分にグリップ３の突起部３１ａを挿入可能となっている。一対の締結部２１ａは、互いに対向する位置に長孔状のネジ止め孔２１ａ１が穿設されている。ネジ止め孔２１ａ１を長孔状としているのは、取付部材２１に突起部３１ａを組み付けた際の組み付け誤差を考慮したものであり、当該組み付け誤差により組み付け位置がずれた場合でも、一対の締結部２１ａのネジ止め孔２１ａ１と、後述する突起部３１ａの貫通孔３１ａ１とが連なるようにするためである。
グリップ３の突起部３１ａは、その平面部及び底面部が平坦に形成されている。また、突起部３１ａは、その後端部分（付け根部分）から先端部分にいくに連れて幅が広くなるように形成されている。そして、突起部３１ａの先端部分の幅は、締結部２１ａの幅よりも広くなるように構成されている。突起部３１ａの先端部分の幅を締結部２１ａの幅よりも広くしているのは、取付部材２１に突起部３１ａを組み付けた際の組み付け誤差を考慮したものであり、当該組み付け誤差により組み付け位置がずれた場合でも、突起部３１ａの平面部及び底面部と一対の締結部２１ａの各々の内側面部とが接する面を確保するためである。
また、突起部３１ａは、上記の平面部と底面部との間を貫通する貫通孔３１ａ１が穿設されているとともに、この貫通孔３１ａ１にタップ加工が施されている。
【００１９】
図６は、互いに対向する一対の締結部２１ａの間に突起部３１ａが挿入された状態のカメラ１００の部分拡大図であり、（ａ）はカメラ１００を斜め上方から見た部分拡大図であり、（ｂ）はカメラ１００を斜め下方から見た部分拡大図である。
図６（ａ），（ｂ）に示すように、互いに対向する一対の締結部２１ａの間に突起部３１ａが挿入された状態にあるとき、一対の締結部２１ａのネジ止め孔２１ａ１と、突起部３１ａの貫通孔３１ａ１とが連なり（図３（ｂ）参照）、互いに対向する一対の締結部２１ａの両側（図中では上側と下側）からそれぞれネジ止めが可能となっている。
【００２０】
図７は、取付部材２１と突起部３１ａとをネジ止めにより締結した状態のカメラ１００の部分拡大図であり、（ａ）はカメラ１００を斜め上方から見た部分拡大図であり、（ｂ）はカメラ１００を斜め下方から見た部分拡大図である。
カメラ１００は、図７（ａ）に示すように、互いに対向する一対の締結部２１ａのうちの一方（図中では上側）の締結部２１ａに上方からネジ５が締め付けられている。また、カメラ１００は、図７（ｂ）に示すように、互いに対向する一対の締結部２１ａのうちの他方（図中では下側）の締結部２１ａにもネジ５が締め付けられている。ネジ５の締め付け方向は、図中の上側及び下側の各々のネジ５を独立に正面から見ると、例えば時計回り方向で共通であり、上側及び下側のネジ５を上方又は下方から合わせて見ると逆方向（例えば、上方から合わせて見ると、上側のネジ５は時計回り方向であり、下側のネジ５は反時計回り方向）となる。
このように、互いに対向する一対の締結部２１ａの両側（図中では上側と下側）にネジ５を締め付けているのは、ネジ５を回す方向にグリップ３を回動させようとする力が働いた際に、ネジ５が緩んでしまうことを防止するためである。
【００２１】
以上のように、本実施形態のカメラ１００は、第１の筐体（表示部筐体１及びレンズ部筐体２）と第２の筐体（グリップ３）とがヒンジ部（第２ヒンジ軸２４）を介して回転可能に結合された筐体の回転構造を有し、前記第２の筐体に備えられた突起部３１ａを相対する双方向から挟み、当該双方向からのネジ止めにより固定する取付部材２１を備え、前記取付部材２１は、前記第１の筐体（レンズ部筐体２）に前記ヒンジ部を介して回転可能に取り付けられ、前記ネジ止めの方向は、前記ヒンジ部の回転軸線に対して直交する方向としたこととなる。
【００２２】
このため、本実施形態のカメラ１００によれば、グリップ３を一体型にすることで、従来のように素材の異なる部品どうしの継ぎ目を無くすことができるので、見栄えを良くすることができる。また、グリップを一体型にすることで、組み立て部品数を減らすことができるので、組み立て作業の工程数を減らすことができ、生産性を向上させることができる。また、組み立て部品数を減らすことができるので、コスト削減を図ることができる。さらに、組み立て部品数を減らした分だけ、組み付け誤差を減らすことができるので、組み立て精度を向上させることができる。
【００２３】
また、本実施形態のカメラ１００によれば、取付部材２１によって、グリップ３に備えられた突起部３１ａを相対する双方向から挟み、当該双方向からのネジ止めにより固定するので、ネジを回す方向にグリップ３を回動させようとする力が働いた際に、ネジが緩んでしまうことを防止することができる。また、上記ネジ止めの方向を、第２ヒンジ軸２４の回転軸線に対して直交する方向とするので、当該ネジ止め作業をカメラ１００の正面側又は裏面側から行うことができる。従って、カメラ１００の正面側や裏面側に比べてスペースが狭い側面側からのネジ止め作業を行う必要が無いので、生産性をより向上させることができる。
【００２４】
また、本実施形態のカメラ１００によれば、取付部材２１は、上記ネジ止めの方向に弾性を有する形状をなしているので、当該ネジ止めの作業を行い易くすることができる。
【００２５】
また、本実施形態のカメラ１００によれば、取付部材２１は、断面Ｃ字状に形成され、その間隙部分に突起部３１ａが挿入された状態でネジ止めされるようになっているので、突起部３１ａのがたつきを防止することができる。
【００２６】
また、本実施形態のカメラ１００によれば、取付部材２１は、皿バネ２２を挟んだ状態でヒンジユニット２０（レンズ部筐体２）に第２ヒンジ軸２４を介して回転可能に取り付けられているので、一定トルクで回転、保持することができる。
【００２７】
また、本実施形態のカメラ１００によれば、第２ヒンジ軸２４は、ヒンジユニット２０（レンズ部筐体２）の端部に設けられているので、第２ヒンジ軸２４の組み付け作業を行い易くすることができる。
【００２８】
また、本実施形態のカメラ１００によれば、グリップ３は、ヒンジユニット２０（レンズ部筐体２）の両側で取り付けられるので、グリップ３をスムーズに回転させることができる。
【００２９】
また、本実施形態のカメラ１００によれば、グリップ３は、Ｕ字状に形成され、その両端部内側に突起部３１ａを有するので、表示部筐体１及びレンズ部筐体２の周囲を回転可能に囲むことができる。
【００３０】
次に、グリップ３のストラップ取り付け部分の構造について説明する。
【００３１】
図８は、グリップ３の開口部３１ｃにストラップ６が取り付けられている状態のカメラ１００を示す斜視図である。
図８に示すように、カメラ１００は、グリップ３の天頂に開口部３１ｃを形成するアーチ部３１ｂを備えている。このように、カメラ１００は、アーチ部３１ｂを備えるという簡単な構造により開口部３１ｃを形成することができるので、幅広のストラップ６を容易に取り付けることができるようにすることができる。
【００３２】
図９は、グリップ３の分解斜視図である。
図９に示すように、グリップ３は、グリップ本体３１と、カバー部材（取付部材）３２と、グリップ本体３１にカバー部材３２を取り付ける際に使用される両面テープ３３とを備えている。グリップ本体３１は、Ｕ字状に形成されており、その開口側の両端部内側にそれぞれ突起部３１ａが互いに対向するように一体成形されている。また、グリップ本体３１は、天頂に長孔状の開口部３１ｃを形成するアーチ部３１ｂが表示部筐体１と対向する側に一体成形されている。また、グリップ本体３１は、剛性を有する材料（例えば、アルミニウム等の軽量の材料）で構成されている。カバー部材３２は、弾性を有する材料（例えば、ポリカーボネート等の樹脂材料）で構成されており、この弾性によりアーチ部３１ｂに取り付け可能となっている。
【００３３】
図１０は、グリップ３の天頂部分の断面図であり、（ａ）はカバー部材３２を取り付ける際のカバー部材３２の変形態様を説明する図であり、（ｂ）はカバー部材３２を取り外そうとした際のカバー部材３２の変形態様を説明する図である。
図１１は、グリップ３の天頂部分の横断面図である。
図１０（ａ），（ｂ）に示すように、アーチ部３１ｂは、各基端部３１ｂ１の外側部にそれぞれ切り欠き３１ｂ２が設けられている。
これに対して、カバー部材３２は、その長手方向において互いに対向する一対のフック３２ａを備えている。そして、各フック３２ａが切り欠き３１ｂ２に嵌合することで、カバー部材３２がアーチ部３１ｂに取り付けられるようになっている。また、カバー部材３２は、両端部３２ｂが上向きに反るように形成されており、カバー部材３２がアーチ部３１ｂに取り付けられた際に、当該両端部３２ｂの各々がグリップ本体３１に当接するようになっている。また、カバー部材３２は、図１１に示すように、横断面Ｃ字状に形成され、アーチ部３１ｂに取り付けられる際に、アーチ部３１ｂを被覆した状態で取り付けられるようになっている。更に、カバー部材３２は、その長手方向中央に受け穴３２ｃが設けられている。受け穴３２ｃは、表示部筐体１の天頂に設けられているラッチとしての突起部（図示省略）を嵌入させるための穴である。また、図１１に示すように、両面テープ３３は、アーチ部３１ｂとカバー部材３２とが当接する面のうちの一部のみに使用している。
【００３４】
以上のアーチ部３１ｂとカバー部材３２とからなる取り付け機構により、アーチ部３１ｂへカバー部材３２を取り付ける際に、図１０（ａ）に示すように、図中の白抜き太矢印の方向へカバー部材３２を押すと、カバー部材３２が上記白抜き太矢印とは反対の方向へ反ることとなり、一対のフック３２ａを切り欠き３１ｂ２に容易に嵌合させることができる。
一方、アーチ部３１ｂへカバー部材３２を取り付けた後は、図１０（ｂ）に示すように、図中の白抜き太矢印の方向へカバー部材３２を引っ張って取り外そうとしても、カバー部材３２が上記白抜き太矢印とは反対の方向へ反るため、一対のフック３２ａが切り欠き３１ｂ２に強く押し付けられ、カバー部材３２を外れ難くすることができる。
【００３５】
以上のように、本実施形態のカメラ１００は、表示部筐体１及びレンズ部筐体２の周囲を回動可能に囲む形状をなすとともに、剛性を有し、天頂に開口部３１ｃを形成するアーチ部３１ｂが表示部筐体１及びレンズ部筐体２と対向する側に一体成形されたグリップ３と、弾性を有し、当該弾性によりアーチ部３１ｂに取り付け可能な取付部材（カバー部材３２）と、を備える。
【００３６】
このため、本実施形態のカメラ１００によれば、グリップ３を一体型にした場合であっても、外観を損ねることなく開口部３１ｃにストラップを取り付けることができる。また、アーチ部３１ｂは、グリップ本体３１に一体成形されており、強度が確保されているため、カバー部材３２は強度を必要とせず、薄型化を図ることができる。
【００３７】
また、本実施形態のカメラ１００によれば、アーチ部３１ｂは、基端部３１ｂ１に切り欠き３１ｂ２が設けられ、カバー部材３２は、フック３２ａを有し、フック３２ａが切り欠き３１ｂ２に嵌合することで、アーチ部３１ｂに取り付け可能となっているので、アーチ部３１ｂにカバー部材３２を取り付けた際に、カバー部材３２を取れ難くすることができる。
【００３８】
また、本実施形態のカメラ１００によれば、切り欠き３１ｂ２は、アーチ部３１ｂの各基端部３１ｂ１の外側部にそれぞれ設けられ、カバー部材３２は、互いに対向する一対のフック３２ａを有しているので、アーチ部３１ｂにカバー部材３２を取り付けた際に、カバー部材３２をより取れ難くすることができる。
【００３９】
また、本実施形態のカメラ１００によれば、カバー部材３２は、断面Ｃ字状に形成され、アーチ部３１ｂを被覆した状態で取り付け可能であるので、表示部筐体１及びレンズ部筐体２との摩擦を緩和することができる。
【００４０】
また、本実施形態のカメラ１００によれば、カバー部材３２は、アーチ部３１ｂに取り付けられた際に、その両端部３２ｂがグリップ３に当接するので、カバー部材３２のがたつきを防止することができる。
【００４１】
また、本実施形態のカメラ１００によれば、カバー部材３２は、表示部筐体１の天頂に設けられている突起部が嵌入する受け穴３２ｃが設けられているので、当該突起部を受け穴３２ｃに嵌入させることによって、グリップ３を回転させることなく保持することができる。
【００４２】
［変形例］
続いて、上記実施形態の変形例について説明する。なお、上記実施形態と同様の構成要素には同一の符号を付し、その説明を省略する。
本変形例のカメラ２００は、上記実施形態におけるグリップ３のアーチ部３１ｂに相当する部分を、グリップ本体とは別体として構成している点で、上記実施形態と異なっている。
【００４３】
図１２は、ストラップ取付用部材２４０を示す斜視図である。
ストラップ取付用部材２４０は、上述のように上記実施形態におけるアーチ部３１ｂに相当する部分の部材であり、図１２に示すように、アーチ形状をなしている。なお、ストラップ取付用部材２４０は、上記実施形態におけるカバー部材３２も兼ねている。
【００４４】
ストラップ取付用部材２４０は、各基端部２４１に開口部２４２が形成されている。各開口部２４２の左右両側の内壁には、奥行方向にガイド溝２４２ａが形成され、また、各開口部２４２の天井部及び底部には、互いに対向する位置に円形状の受け穴２４２ｂが形成されている。
また、ストラップ取付用部材２４０は、一対のバネ棒２４３を備えており、各バネ棒２４３を上記ガイド溝２４２ａに案内させ各開口部２４２内に収容した状態となっている。
また、ストラップ取付用部材２４０は、その長手方向中央に受け穴２４４が設けられている。受け穴２４４は、表示部筐体１の天頂に設けられているラッチとしての突起部（図示省略）を嵌入させるための穴である。
【００４５】
図１３は、変形例のグリップ本体２３１を示す斜視図であり、（ａ）はグリップ本体２３１の天頂部分を示す部分拡大図であり、（ｂ）は上下一対の突出片２３２を示す部分拡大図である。
図１３（ａ），（ｂ）に示すように、グリップ本体２３１は、天頂部分が左右対称の山型形状をなしており、そのうちの各山腹部分であって、且つグリップ本体２３１の内側に左右対称に上下一対の突出片２３２が設けられている。上下一対の突出片２３２は、互いに対向する位置にそれぞれ貫通孔２３２ａが設けられており、当該貫通孔２３２ａ内にはそれぞれ互いに当接する側の端部が面取り加工されたピン２３３が摺動可能に設けられている。ピン２３３の２本分の長さは、上下一対の突出片２３２のうち上側に設けられた突出片２３２の上端面から下側に設けられた突出片２３２の下端面までの長さと等しくなるように設計されている。つまり、グリップ本体２３１は、上側に設けられた突出片２３２の上端面からも下側に設けられた突出片２３２の下端面からもピン２３３が出っ張らないように各ピン２３３を収容することが可能となっている（図１５（ａ）参照）。
【００４６】
次に、グリップ本体２３１へのストラップ取付用部材２４０の組み付け過程について説明する。
【００４７】
図１４（ａ）は、グリップ本体２３１へストラップ取付用部材２４０を組み付ける前の状態を示す斜視図である。
図１４（ａ）に示すように、グリップ本体２３１の上下一対の突出片２３２に対して、ストラップ取付用部材２４０の各開口部２４２を嵌合させることにより、グリップ本体２３１へストラップ取付用部材２４０を組み付けることができるようになっている。
【００４８】
図１４（ｂ）は、グリップ本体２３１へストラップ取付用部材２４０を組み付け途中の状態を示す斜視図である。また、図１５（ａ）は、当該組み付け途中の状態を示す断面図である。
図１４（ｂ）及び図１５（ａ）に示すように、グリップ本体２３１の上下一対の突出片２３２に対して、ストラップ取付用部材２４０の各開口部２４２を嵌合させた当初は、各開口部２４２内に収容されているバネ棒２４３が上下一対の突出片２３２に収容されている各ピン２３３に押され、組み付け方向（図１４（ａ）の矢印方向）とは反対の方向に曲げられた状態となっている。
【００４９】
図１４（ｃ）は、グリップ本体２３１へストラップ取付用部材２４０を組み付けた後の状態を示す斜視図である。また、図１５（ｂ）は、当該組み付け後の状態を示す断面図である。
図１４（ｃ）及び図１５（ａ）に示すように、グリップ本体２３１の上下一対の突出片２３２に対して、ストラップ取付用部材２４０の各開口部２４２を嵌合させると、上記のように組み付け方向（図１４（ａ）の矢印方向）とは反対の方向に曲げられていた各バネ棒２４３は弾性力によって上下一対の突出片２３２に収容されている各ピン２３３を押し返すこととなる。そして、各バネ棒２４３によって押し返された各ピン２３３は、上方と下方とにそれぞれ摺動して各開口部２４２のそれぞれの受け穴２４２ｂに嵌入した状態とる。これにより、グリップ本体２３１に対してストラップ取付用部材２４０が固定された状態となる。
【００５０】
以上のように、本変形例のカメラ２００によれは、グリップ本体２３１へストラップ取付用部材２４０を組み付ける際、ネジを使用しないため、ストラップ取付用部材の幅をネジ頭径より大きくしなければならない等の設計上の制約が軽減されるので、設計上の自由度を向上させることができる。また、上述のように、ストラップ取付用部材２４０の各開口部２４２に設けられている受け穴２４２ｂに各ピン２３３が一旦嵌入すると、バネ棒２４３が立ち塞がり、各ピンが元の位置へ戻らない構造となっているため、グリップ本体２３１に対してストラップ取付用部材２４０を確実に固定することができる。
【００５１】
なお、本発明は、上記実施形態や上記変形例に限定されることなく、本発明の趣旨を逸脱しない範囲において、種々の改良並びに設計の変更を行っても良い。
例えば、上記実施形態や上記変形例のように、突起部３１ａはグリップ３に備えることが望ましいが、レンズ部筐体２に備えるようにしても良い。
また、例えば、上記実施形態や上記変形例のように、ネジ止めは相対する双方から行うことが望ましいが、相対しない方向から行ったり、緩みにくいネジを使用して一方向から行ったり、或いは、突起部３１ａに貫通する孔を設け、ボルトとナットで締め付けるようにしても良い。
また、例えば、上記実施形態や上記変形例にあっては、グリップ３は、例えば、アルミニウム等の軽量の材料）で構成されるようにしたが、これに限定されるものではない。グリップ３は、例えば、樹脂材料で構成された成形品であってもよい。また、樹脂材料で強度を要する場合には、二色成形（ダブルモールド）として、内側（一次側）にカーボンファイバー、外側（二次側）に加飾対応が可能な樹脂材料を使用するようにしてもよい。
【００５２】
また、上記実施形態や上記変形例にあっては、カメラ（カメラ１００，２００）を一例として説明したが、本発明はこれに限定されるものではなく、カメラを備えるスマートフォンなど他の電子機器であってもよい。また、グリップ３の形状等は任意であり、その他、具体的な細部構造等についても適宜変更可能であることは勿論である。
【００５３】
以上、本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
筐体周囲を回動可能に囲む形状をなすとともに、剛性を有し、天頂に開口部を形成するアーチ部が前記筐体と対向する側に一体成形されたグリップと、
弾性を有し、当該弾性により前記アーチ部に取り付け可能な取付部材と、
を備えることを特徴とする取り付け機構。
＜請求項２＞
前記アーチ部は、基端部に切り欠き部が設けられ、
前記取付部材は、突起部を有し、当該突起部が前記切り欠き部に嵌合することで、前記アーチ部に取り付け可能であることを特徴とする請求項１に記載の取り付け機構。
＜請求項３＞
前記切り欠き部は、前記アーチ部の各基端部の外側部にそれぞれ設けられ、
前記取付部材は、互いに対向する一対の突起部を有していることを特徴とする請求項２に記載の取り付け機構。
＜請求項４＞
前記取付部材は、断面Ｃ字状に形成され、前記アーチ部を被覆した状態で取り付け可能であることを特徴とする請求項１〜３の何れか一項に記載の取り付け機構。
＜請求項５＞
前記取付部材は、前記アーチ部に取り付けられた際に、その両端部が前記グリップに当接することを特徴とする請求項１〜４の何れか一項に記載の取り付け機構。
＜請求項６＞
前記取付部材は、前記筐体の天頂に設けられている突起部が嵌入する穴が設けられていることを特徴とする請求項１〜５の何れか一項に記載の取り付け機構。
＜請求項７＞
前記筐体は、撮像部を備えるレンズ部筐体と、表示部を備える表示部筐体と、からなり、
前記レンズ部筐体と前記表示部筐体とは、ヒンジ部を介して回転可能に接合されていることを特徴とする請求項１〜６の何れか一項に記載の取り付け機構。
＜請求項８＞
請求項１〜７の何れか一項に記載の取り付け機構を備えることを特徴とする電子機器。
＜請求項９＞
請求項７に記載の取り付け機構を備えることを特徴とする撮像装置。
【符号の説明】
【００５４】
１００  カメラ
１  表示部筐体
１ａ  表示部
２  レンズ部筐体
２ａ  レンズ部
２０  ヒンジユニット
２１  取付部材
２２  皿バネ
２３  ブラケット
２４  第２ヒンジ軸
３  グリップ
３１  グリップ本体
３２  カバー部材
３３  両面テープ
４    第１ヒンジ軸
５    ネジ
６    ストラップ
２００  カメラ
２３１グリップ本体
２４０ストラップ取付用部材
【図１】
2018054714.tif 000003
【図２】
2018054714.tif 000004
【図３】
2018054714.tif 000005
【図４】
2018054714.tif 000006
【図５】
2018054714.tif 000007
【図６】
2018054714.tif 000008
【図７】
2018054714.tif 000009
【図８】
2018054714.tif 000010
【図９】
2018054714.tif 000011
【図１０】
2018054714.tif 000012
【図１１】
2018054714.tif 000013
【図１２】
2018054714.tif 000014
【図１３】
2018054714.tif 000015
【図１４】
2018054714.tif 000016
【図１５】
2018054714.tif 000017
【図１６】
2018054714.tif 000018
【図１７】
2018054714.tif 000019